(57)【特許請求の範囲】
【請求項１】
複数個の収納容器からなる収納容器群を直線的に複数個連結したリール巻設可能帯状物からなり、前記収納容器間に少なくとも１個の略長方形の孔が設置され、前記帯状物の少なくとも一方の側縁に沿い、搬送機構に着脱するスプロケットホールが長さ方向に一定間隔に設けられたカバーテープをヒートシールして用いられる精密部品収納容器において、複数個の収納容器からなる収納容器群と次に新しく成形される複数個の収納容器からなる収納容器群が、収納容器群の長手方向の最後尾の収納容器の帯状物の幅方向の側面部と次に新しく成形される収納容器群の長手方向の最前部の収納容器の帯状物の幅方向の側面部とが帯状物の長手方向で結合するように射出成形でつくられたことを特徴とする精密部品収納容器。
【請求項２】
複数個の収納容器からなる収納容器群を直線的に複数個連結したリール巻設可能帯状物からなり、前記収納容器間に少なくとも１個の略長方形の孔が設置され、前記収納容器の内側四隅に、前記収納容器の内側面よりも内方に位置するよう突設した収納物位置ずれ防止用突起物を有し、前記帯状物の少なくとも一方の側縁に沿い、搬送機構に着脱するスプロケットホールが長さ方向に一定間隔に設けられたカバーテープをヒートシールして用いられる精密部品収納容器において、複数個の収納容器からなる収納容器群と次に新しく成形される複数個の収納容器からなる収納容器群が、収納容器群の長手方向の最後尾の収納容器の帯状物の幅方向の側面部と次に新しく成形される収納容器群の長手方向の最前部の収納容器の帯状物の幅方向の側面部とが帯状物の長手方向で結合するように射出成形でつくられたことを特徴とする精密部品収納容器。
【発明の詳細な説明】
【０００１】
【産業上の利用分野】
本発明は、半導体集積回路装置等の精密部品を収納する帯状精密部品収納容器に関する。さらに詳細には、ホールド性、破断強度及びリール巻きつき性に優れた帯状精密部品収納容器に関する。
【０００２】
【従来の技術】
従来の帯状精密部品収納容器は、収納容器への電子部品の収納、取出しを容易なものにするため、収納容器内側寸法を電子部品の外形寸法よりも余裕をもって形成している。このため、電子部品を収納したときに電子部品と収納容器内側面との間に必要以上に間隙が生じ、搬送時の振動によって電子部品が収納容器内で移動するという現象が生じることになる。
したがって、このような精密部品の移動が生じて、帯状物に加えられる振動や衝撃が大きな場合には、精密部品も収納部の内側面に激しく衝突するようになり、精密部品の突設したリードがこの衝突によって変形され、著しい場合にはリードが折損されることになる。特に、電子部品が移動とともに回転運動する場合には、リードの突設方向に対し横方向の力が作用するため極めて簡単にリードが変形してしまう欠点がある。
【０００３】
【発明が解決しようとする課題】
本発明者等は、前記欠点を解消すべく種々検討した結果、直線的に複数個連結したリール巻設可能帯状物からなる収納容器において、前記収納容器間に少なくとも１個の略長方形の孔が設置され、前記帯状物の少なくとも一方の側縁に沿い、搬送機構に着脱するスプロケットホールが長さ方向に一定間隔に設けられた帯状精密部品収納容器に到達した。又、前記収納容器の内側四隅に前記収納容器の内側面よりも内方に位置するよう突設した収納物位置ずれ防止用突起物を設置することにより、精密部品の収納、取出しを容易なものとする一方で、リードの変形や破損を防止することができることを見いだし本発明に到達した。
【０００４】
【課題を解決するための手段】
即ち、本発明の第１の発明は、複数個の収納容器からなる収納容器群を直線的に複数個連結したリール巻設可能帯状物からなり、前記収納容器間に少なくとも１個の略長方形の孔が設置され、前記帯状物の少なくとも一方の側縁に沿い、搬送機構に着脱するスプロケットホールが長さ方向に一定間隔に設けられたカバーテープをヒートシールして用いられる精密部品収納容器において、複数個の収納容器からなる収納容器群と次に新しく成形される複数個の収納容器からなる収納容器群が、収納容器群の長手方向の最後尾の収納容器の帯状物の幅方向の側面部と次に新しく成形される収納容器群の長手方向の最前部の収納容器の帯状物の幅方向の側面部とが帯状物の長手方向で結合するように射出成形でつくられたことを特徴とする精密部品収納容器。である。
【０００５】
本発明の第２の発明は、複数個の収納容器からなる収納容器群を直線的に複数個連結したリール巻設可能帯状物からなり、前記収納容器間に少なくとも１個の略長方形の孔が設置され、前記収納容器の内側四隅に、前記収納容器の内側面よりも内方に位置するよう突設した収納物位置ずれ防止用突起物を有し、前記帯状物の少なくとも一方の側縁に沿い、搬送機構に着脱するスプロケットホールが長さ方向に一定間隔に設けられたカバーテープをヒートシールして用いられる精密部品収納容器において、複数個の収納容器からなる収納容器群と次に新しく成形される複数個の収納容器からなる収納容器群が、収納容器群の長手方向の最後尾の収納容器の帯状物の幅方向の側面部と次に新しく成形される収納容器群の長手方向の最前部の収納容器の帯状物の幅方向の側面部とが帯状物の長手方向で結合するように射出成形でつくられたことを特徴とする精密部品収納容器。である。
【０００６】
以下、本発明を詳細に説明する。
本発明の精密部品収納容器は、射出成形により製造することが好ましいが、プラスチックシートを真空成形、圧空成形又はプレス成形して製造することもできる。
以下、射出成形法による精密部品収納容器について説明するが、本発明はこれに限定されるものではない。
図１は本発明の帯状精密部品収納容器の斜視図である。例えば、図１に示す５個の収納容器からなるものを収納容器群とし、この収納容器群を射出成形にて連結し帯状体とする場合には、具体的には、図３の概略図で示されるとおり重ね合わせた形状を有する結合方式で行われる。すなわち、収納容器２を直線上に５個連結した収納容器群３を繋ぐ連結部分４で帯状に複数個連結されている。
図２に示すごとく収納容器２の内側４隅には前記収納容器の内側面よりも内方に位置するよう突設した収納物位置ずれ防止用突起物６と容器底部に位置決め枠７を突設すると同時に容器底部の略中央部に中央部孔５が設置してある。収納容器と収納容器の間に、略長方形の孔を設置し、収納容器１の側縁に沿い、搬送機構に着脱するスプロケットホール８Ａが長さ方向に一定間隔をおいて設けられている。
【０００７】
したがって、以上の構成の収納容器によれば、図４及び図５に示すごとく収納容器に電子部品を収納すると位置決め枠７によって、電子部品９の収納容器底部での位置決めがなされる。なお、前記位置決め枠７の断面を見た場合、上辺が下辺と同等又は短い形状のものである。
位置決め枠７中での電子部品の移動量を小さくするため、枠７断面の内側テーパー角度は電子部品本体の断面下部のテーパー角度と略等しいことが望ましい。また、位置決め枠７の内方先端は電子部品９に接近し、位置ずれ防止用突起物６と電子部品９との縦横方向及び回転方向の間隙を小さなものにする。この位置ずれ防止用リブの形状は必ずしも図示される形状に限られたものでない。これらにより、この収納容器では収納容器内で電子部品９が移動しても移動量は極めて小さいものとなり電子部品のリード１０が収納容器単体内側側面に衝突してもリードが変形されることは殆どない。
本発明の精密部品収納用容器は、収納用容器からの精密部品の出し入れを容易とするために、容器底部の略中央部に中央部孔５が設置してある。
【０００８】
本発明の精密部品収納用容器に用いられる樹脂としては、熱可塑性樹脂が好ましく、具体的には、ポリプロピレン及びポリエチレン等のオレフィン系樹脂、耐衝撃スチレン樹脂、スチレンーブタジエンブロックコポリマー、ポリフェニレンエーテル系樹脂、ポリカーボネート、ＭＭＡ樹脂、ＰＥＴ樹脂等である。
本発明の精密部品収納用容器は、少なくとも表面が導電性を有することが好ましく、容器の成形には、通常、樹脂に導電性フィラーを練りこんで、導電性を付与した組成物を用いることが好ましい。また、導電性を付与するための導電性フィラーは、カーボンブラックに特定されるものでなく、他のフィラー例えば、カーボンファイバーであっても良い。また練り込みタイプの樹脂だけでなく、表面塗布タイプであっても良い。
本発明においては、カーボンブラックを含むポリプロピレンを使用することが特に好ましい。
精密部品収納用容器の厚みに特に制限はないが、通常、０．１５ｍｍ以上、好ましくは０．２ｍｍ以上である。
【０００９】
本発明に用いられる製造装置に特に制限はない。射出成形では、金型１１は、図６に示すように収納容器群を成形する成形部１２（点線で囲まれる部分）と成形された収納容器群が金型上部に移動して固定される固定部１３（斜線で囲まれる部分）の２つの部分とで構成される。成形部と固定部は型内で直線的に位置していることが好ましい。固定部中央には搬送用のスプロケット８Ｂとスプロケットを回転させるモーターがついている。
金型内で容器単体群を射出成形した後、スプロケット８Ｂを回転させて金型上部に搬送し、搬送された収納容器群の一部を固定部に固定し、収納容器群の最下端に位置する収納容器の成形部に最も近い側面部分のみを成形部に保持後、型締めを行って成形し、固定部にある収納容器群と新しく成形される収納容器群が前記収納容器の側面部分を介して結合する。この作業を続けることにより、収納容器からなるリール巻設可能帯状物である精密部品収納用容器が製造される。
【００１０】
本発明の精密部品収納容器は、リール巻設可能帯状物であり、収納容器に精密部品を入れた後、カバーテープ等をヒートシールすることにより、キャリアテープとして好適に使用される。
【００１１】
【実施例】
以下、実施例に基づき本発明を詳細に説明する。
実施例１
カーボンブラックを含むポリプロピレン樹脂組成物を使い、図６に示す金型を用いて、射出成形により図１に示す収納容器を直線的に複数個連結した精密部品収納容器を作成した。精密部品収納容器は、収納容器間に１個の略長方形の中央部孔、スプロケットホール、収納物位置ずれ防止用突起物及び位置決め枠が設置され、幅２４ｍｍ，収納容器間距離２０ｍｍであった。評価結果を表１に示す。
比較例１
実施例１と同様にして、射出成形により図７に示すとおり、収納容器の中間で結合する方式で結合し、略長方形の孔、収納物位置ずれ防止用突起物及び容器底部に位置決め枠のない精密部品収納容器を作成した。評価結果を表１に示す。
【００１２】
（評価方法）
（１）電子部品ホールド性
収納容器５個に本体厚み1.5mm のQFP タイプ(10 ×10) の電子部品を各１個ずつ収納し、静電防止タイプカバーテープ( 電気化学工業株式会社製ALS-ASタイプ) を使って収納容器の上部にヒートシール後、収納容器を６０ｒｐｍで５分間回転し、容器内にある電子部品のリード曲がり状態を目視にて評価した。
（２）破断強度
収納容器５個からなり、連結部分を有する帯状収納容器をINSTRON MODEL1122 にて支点間距離９０ｍｍで、一方の端を支点とし、他方の端を200mm/min のスピードで引っ張り、収納容器が破断する際に生じる応力を測定した。
（３）リール巻きつき性
電子部品入り帯状精密部品収納容器をリールに巻き付け、収納容器が破断するかどうか評価した。
【００１３】
【表１】
0003835835.tif 000002
【００１４】
【発明の効果】
本発明によれば、電子部品ホールド性、破断強度及びリール巻きつき性に優れた半導体集積回路装置等の精密部品を収納する精密部品収納容器が得られる。
【図面の簡単な説明】
【図１】本発明の精密部品収納容器の斜視図である。
【図２】本発明の精密部品収納容器の拡大図である。
【図３】図２のＸーＸ’断面の連結部分の概略図である。
【図４】本発明の精密部品収納容器に電子部品を入れたときの断面図である。
【図５】本発明の精密部品収納容器に電子部品を入れたときの平面図である。
【図６】本発明の金型の断面概略図である。
【図７】比較例１の連結部分の概略図である。
【符号の説明】
１  精密部品収納容器
２  収納容器
３  収納容器群
４  連結部分
５  中央部孔
６  位置ずれ防止用突起物
７  位置決め枠
８Ａ  スプロケットホール
８Ｂ  スプロケット
９  電子部品
１０  リード
１１  金型
１２  成形部
１３  固定部
１４  略長方形の孔
１５  テーパー角度
１６  樹脂流入路
【図１】
0003835835.tif 000003
【図２】
0003835835.tif 000004
【図３】
0003835835.tif 000005
【図４】
0003835835.tif 000006
【図５】
0003835835.tif 000007
【図６】
0003835835.tif 000008
【図７】
0003835835.tif 000009